(57)【特許請求の範囲】
【請求項１】
造営材に設置される器体を備え、負荷及び電源が電線を介して接続されるスイッチであって、
前記負荷と前記電源との間の給電路に電気的に接続される接点と、
前記接点のオン／オフを切り替える開閉機構部と、
動作表示用の発光部と、
前記接点と直列に接続されており前記給電路に電流が流れている状態で前記発光部に電流を流して前記発光部を発光させる給電部と、
温度ヒューズとが前記器体に収納され、
前記器体には、前記負荷及び前記電源の直列回路と前記接点の間を電気的に接続するための電線が挿入される電線挿入口が設けられ、
前記器体の内部には、前記電線挿入口から挿入された前記電線に電気的に接続される端子部が収納され、
前記温度ヒューズの一端は前記端子部に接続され、前記温度ヒューズの他端は前記給電部に接続されており、前記温度ヒューズは前記端子部と前記給電部との間を電気的に接続した状態で前記器体に収納されていることを特徴とするスイッチ。
【請求項２】
前記器体は、前記造営材に設けられた穴に後部を納めた状態で前記造営材に取り付けられており、
前記器体の内部には、前記接点及び前記開閉機構部の後側に前記給電部が配置されており、
前記器体の後面には前記電線挿入口が開口し、
前記器体の内部には前記端子部が前記給電部よりも前側に収納されており、
前記温度ヒューズは、前記器体の内部において前側に配置された前記端子部と、後側に配置された前記給電部との間を電気的に接続した状態で、前記器体の内部に前後方向に沿わせて収納されていることを特徴とする請求項１記載のスイッチ。
【請求項３】
前記給電部は電流トランスを備え、
前記電流トランスは、リング状のコアと、前記コアにそれぞれ巻回された一次巻線及び二次巻線を備え、
前記一次巻線は前記給電路の途中に接続され、前記二次巻線の両端間に前記発光部を含む回路が接続されており、
前記温度ヒューズの前記他端は、前記コアの後側から前記コアの中心孔に挿入された状態で、前記中心孔の内側で前記一次巻線に接続されていることを特徴とする請求項２記載のスイッチ。
【発明の詳細な説明】
【技術分野】
【０００１】
本発明は、パイロットランプを備えたスイッチに関するものである。
【背景技術】
【０００２】
従来、負荷への給電をオン／オフするために用いられるスイッチに、負荷への給電時に点灯するパイロットランプが設けられたものがある（例えば特許文献１及び特許文献２参照）。
【０００３】
上記特許文献１に記載されたスイッチでは、接点と直列に電流トランスの一次巻線が接続され、電流トランスの二次側には発光ダイオードからなるパイロット灯とダイオードが、極性を逆向きにして並列接続されている。接点がオンになり、負荷に給電されると、電流トランスの一次側に電流が流れることによって、電流トランスの二次側に電流が発生して、パイロット灯が点灯する。
【０００４】
また特許文献２に記載されたスイッチでは、接点と負荷との間に４個のダイオードがブリッジ接続され、ダイオードブリッジの直流出力端子間には別のダイオードが順方向に接続されている。そして、ダイオードブリッジの交流入力端子間には、電流制限用の抵抗器を介して、２個の発光ダイオードが互いに極性を逆向きにして並列接続されている。接点がオンになって負荷に給電されると、電源電圧が正となる半周期、及び、電源電圧が負となる半周期にそれぞれダイオードブリッジで発生するダイオード２個分の順方向電圧によって発光ダイオードに電流が流れて、発光ダイオードが点灯する。
【先行技術文献】
【特許文献】
【０００５】
【特許文献１】特開２００２−２０３４５５号公報（段落［００２９］［００３１］［００３２］、及び、第１図、第１１図参照）
【特許文献２】特開平７−１８２９５１号公報（段落［００１１］−［００１３］、及び、第４図参照）
【発明の概要】
【発明が解決しようとする課題】
【０００６】
上述した特許文献１，２のスイッチに定格を超える負荷が接続された場合、接点のオン時に電流トランスの一次側や、ダイオードブリッジに定格を超える電流が流れ、電流トランスやダイオードブリッジが異常に発熱する可能性があった。そして、電流トランスやダイオードブリッジが異常に発熱すると、その発熱によってスイッチに不具合が発生する可能性があった。
【０００７】
本発明は上記課題に鑑みて為されたものであり、その目的とするところは、定格を超える負荷が接続された場合でも発熱による不具合を起こりにくくしたスイッチを提供することにある。
【課題を解決するための手段】
【０００８】
本発明のスイッチは、造営材に設置される器体を備え、負荷及び電源が電線を介して接続される。本発明のスイッチは、前記負荷と前記電源との間の給電路に電気的に接続される接点と、前記接点のオン／オフを切り替える開閉機構部と、動作表示用の発光部と、前記接点と直列に接続されており前記給電路に電流が流れている状態で前記発光部に電流を流して前記発光部を発光させる給電部と、温度ヒューズとが前記器体に収納され、前記器体には、前記負荷及び前記電源の直列回路と前記接点の間を電気的に接続するための電線が挿入される電線挿入口が設けられ、前記器体の内部には、前記電線挿入口から挿入された前記電線に電気的に接続される端子部が収納され、前記温度ヒューズの一端は前記端子部に接続され、前記温度ヒューズの他端は前記給電部に接続されており、前記温度ヒューズは前記端子部と前記給電部との間を電気的に接続した状態で前記器体に収納されていることを特徴とする。
【０００９】
このスイッチにおいて、前記器体は、前記造営材に設けられた穴に後部を納めた状態で前記造営材に取り付けられており、前記器体の内部には、前記接点及び前記開閉機構部の後側に前記給電部が配置されており、前記器体の後面には前記電線挿入口が開口し、前記器体の内部には前記端子部が前記給電部よりも前側に収納されており、前記温度ヒューズは、前記器体の内部において前側に配置された前記端子部と、後側に配置された前記給電部との間を電気的に接続した状態で前記器体の内部に前後方向に沿わせて収納されていることも好ましい。
【００１０】
このスイッチにおいて、前記給電部は電流トランスを備え、前記電流トランスは、リング状のコアと、前記コアにそれぞれ巻回された一次巻線及び二次巻線を備え、前記一次巻線は前記給電路の途中に接続され、前記二次巻線の両端間に前記発光部を含む回路が接続されており、前記温度ヒューズの前記他端は、前記コアの後側から前記コアの中心孔に挿入された状態で、前記中心孔の内側で前記一次巻線に接続されていることも好ましい。
【発明の効果】
【００１１】
本発明によれば、定格を超える負荷が接続されると、給電部に定格を超える電流が流れることによって給電部が異常発熱する可能性があるが、給電部の発熱による温度上昇が温度ヒューズの作動温度を超えると、温度ヒューズによって負荷への給電が遮断される。したがって、温度ヒューズが負荷への給電を遮断することで、給電部の異常発熱が抑えられ、給電部の異常発熱による不具合を起こりにくくしたスイッチを実現することができる。
【図面の簡単な説明】
【００１２】
【図１】実施形態１のスイッチを構成するスイッチ本体の分解斜視図である。
【図２】（ａ）は同上を構成するスイッチ本体の正面図、（ｂ）はスイッチ本体の右側面図、（ｃ）はスイッチ本体の下面図である。
【図３】同上を構成するスイッチ本体の斜視図である。
【図４】（ａ）（ｂ）は同上の要部を示す斜視図である。
【図５】同上の要部の断面図である。
【図６】同上の要部の分解斜視図である。
【図７】同上を構成するスイッチ本体を下側から見た断面図である。
【図８】同上の施工方法を説明する分解斜視図である。
【図９】同上の回路図である。
【図１０】実施形態２のスイッチの回路図である。
【図１１】同上の要部の斜視図である。
【図１２】同上の要部の分解斜視図である。
【発明を実施するための形態】
【００１３】
（実施形態１）
実施形態１のスイッチを図１〜図９に基づいて説明する。尚、以下の説明では特に断りがないかぎり、図２（ａ）に示す向きにおいて上下左右の方向を規定し、図２（ｂ）における左側を前側、右側を後側として説明を行う。
【００１４】
スイッチは、図８に示すように、前面の押釦２７が押される毎に接点のオン／オフが切り替えられるスイッチ本体１と、スイッチ本体１の前面に取り付けられ、操作者が前面を押操作することによって裏側で押釦２７を押すハンドル２とを備えている。
【００１５】
スイッチ本体１の器体３は埋込配線器具用の取付枠５０に保持される。取付枠５０の前面側には、スイッチ本体１の周りを囲むようにしてプレート（プレート枠６０及び化粧プレート７０からなる）が取り付けられており、プレートの開口窓６１，７１内にハンドル２が配置される。尚、取付枠５０の上下の枠片には長孔５３がそれぞれ設けられ、長孔５３に挿通されたねじ（図示せず）を施工面に埋設された埋込ボックスのねじ孔に締結することによって、取付枠５０が施工面に固定される。また、取付枠５０の上下の枠片には挟み金具（図示せず）の一端部を係止させる孔５４が設けられており、孔５４に係止された挟み金具を用いて、石膏ボードのようなパネル材を挟持することで、施工面を構成するパネル材に取付枠５０を固定することもできる。また、取付枠５０の上下の枠片には、プレート枠６０を取り付ける取付ねじ６２が締結されるねじ孔５５が設けられている。
【００１６】
図９はスイッチの内部回路を示す回路図であり、スイッチは、交流電源ＡＣ及び負荷Ｗ１（例えば照明器具や換気扇など）の直列回路が接続される接続端子Ｔ１，Ｔ２を備えている。接続端子Ｔ１と接続端子Ｔ２の間には、接点Ｓ１と電流トランスＣＴ１の一次巻線ｎ１と温度ヒューズＦ１とが直列に接続されている。また、接続端子Ｔ１と接続端子Ｔ２の間には限流用の抵抗Ｒ１とネオンランプＬ１との直列回路が並列に接続されている。また電流トランスＣＴ１の二次巻線ｎ２の両端間には、コンデンサＣ１と抵抗Ｒ２の直列回路が接続されている。コンデンサＣ１には、発光ダイオードＬＥＤ１とダイオードＤ１が、互いの極性を逆向きにして、並列に接続されている。ここにおいて、電流トランスＣＴ１などから、接点Ｓ１と直列に接続され、給電路に電流が流れると、発光ダイオードＬＥＤ１に電流を流して発光ダイオードＬＥＤ１を発光させる給電部が構成される。
【００１７】
接続端子Ｔ１，Ｔ２間に交流電源ＡＣと負荷Ｗ１が接続されている状態で接点Ｓ１がオフに切り替えられていると、接点Ｓ１の両端間に電圧が印加されるので、抵抗Ｒ１を介してネオンランプＬ１に電流が流れて、ネオンランプＬ１が点灯する。尚、この時、ネオンランプＬ１に流れる電流は、負荷Ｗ１を動作させるのに必要な電流に比べて十分小さい電流値に設定されている。
【００１８】
一方、接点Ｓ１がオンに切り替えられた場合は、電流トランスＣＴ１の一次巻線ｎ１に電流が流れることによって、二次巻線ｎ２に接続された発光ダイオードＬＥＤ１に交流電源ＡＣの半周期毎に電流が流れ、発光ダイオードＬＥＤ１が赤色発光する。
【００１９】
したがって、負荷Ｗ１として照明負荷が用いられる場合には、接点Ｓ１のオフ時、すなわち照明負荷の消灯時にネオンランプＬ１が点灯することによって位置表示が行われ、暗がりでもスイッチの位置を容易に確認できる。一方、接点Ｓ１のオン時、すなわち負荷Ｗ１の動作時には発光ダイオードＬＥＤ１が点灯することによって、負荷Ｗ１が動作中であることを表示することができる。
【００２０】
次に、スイッチ本体１について図１〜図３及び図７，図８に基づいて説明する。スイッチ本体１の器体３は直方体状であって、前面が開口した合成樹脂製のボディ４と、後面が開口した合成樹脂製のカバー５とを結合することによって構成される。すなわち、カバー５の上側壁及び下側壁の後縁からは後方に向かって組立片６が２個ずつ突出し、各組立片６の孔６ａにボディ４の突起７を係止させることによって、ボディ４とカバー５とが結合される。
【００２１】
器体３の短手方向（上下方向）の寸法は、埋込型配線器具用の取付枠５０（図８参照）に３個まで取付可能な寸法に形成されている。取付枠５０は中央に器具取付用の孔５１を有し、孔５１から前面を前方に露出させた状態で器体３が取付枠５０に取り付けられる。この取付枠５０に器体３を３個まで取付可能であり、器体３の短手方向の寸法は、孔５１の長手方向寸法の約３分の１に設定され、器体３の長手方向（左右方向）の寸法は、孔５１の短手方向寸法と略同じ寸法に設定されている。このような器体３の寸法を１個モジュール寸法という。
【００２２】
また、器体３の前部を構成するカバー５の左右両側壁には取付爪８が２個ずつ設けられており、取付爪８が取付枠５０の器具取付孔５２に係止されることによって、器体３が取付枠５０に保持される。カバー５の右側壁には、それぞれ前後方向に延び、後端が開放された２本の溝９が平行に形成されており、２本の溝９の間の撓み片１０が左右方向において撓み自在となり、この撓み片１０に上述した２個の取付爪８が設けられている。したがって、撓み片１０がカバー５の内側に撓められると、撓み片１０に設けられた取付爪８が、取付枠５０の器具取付孔５２の外側に出て、取付爪８と器具取付孔５２との係止状態が解除されるので、器体３が取付枠５０から取り外される。尚、撓み片１０の後端部には、撓み片１０の押し込みを容易にするために、突起１０ａが設けられている。
【００２３】
器体３の後部を構成するボディ４の内部は、左右方向において大まかに３つの収納室に分けられている。左右両側の収納室４ａ，４ｂには、接続端子Ｔ１，Ｔ２をそれぞれ構成する速結型の端子部が収納され、左右方向の中央の収納室４ｃには接点Ｓ１や後述する開閉機構部２４などが収納される。
【００２４】
右側の収納室４ａには、端子板１１と２個の鎖錠ばね１４と解除釦１５とからなる端子部が収納されている。端子板１１は、鎖錠ばね１４との間でそれぞれ電線を挟持する２つの接触片１１ａを備えるとともに、温度ヒューズＦ１の一方の端子が接続される接続片１１ｂを備えている。また、収納室４ａに対応するボディ４の後壁には、接触片１１ａと鎖錠ばね１４との間の隙間にそれぞれ対応する部位に２個の電線挿入口１６ａが開口し、解除釦１５に対応する部位に工具挿入用の孔（図示せず）が開口している。
【００２５】
左側の収納室４ｂには、端子板１２と１個の鎖錠ばね１４と解除釦１５とからなる端子部が収納されている。端子板１２は、鎖錠ばね１４との間で電線を挟持する接触片１２ａと、中央の収納室４ｃ内に配置される延長片１２ｂを一体に備え、この延長片１２ｂには固定接点１２ｃが固着されている。また、収納室４ｂに対応するボディ４の後壁には、接触片１２ａと鎖錠ばね１４との間の隙間に対応する部位に電線挿入口１６ｂが開口し、解除釦１５に対応する部位に工具挿入用の孔（図示せず）が開口している。尚、収納室４ｃには可動接点板１３が収納されており、この可動接点板１３に固着された可動接点１３ａと固定接点１２ｃとで接点Ｓ１が構成される。
【００２６】
ここで、電線挿入口１６ａから挿入された電線は、鎖錠ばね１４と接触片１１ａとの間に挿入され、鎖錠ばね１４が電線に食い込むことによって電線の抜けが防止されるとともに、電線と端子板１１とが電気的に接続される。同様に、電線挿入口１６ｂから挿入された電線は、鎖錠ばね１４と接触片１２ａとの間に挿入され、鎖錠ばね１４が電線に食い込むことによって電線の抜けが防止されるとともに、電線と端子板１２とが電気的に接続される。また、ボディ４の後壁に開口する工具挿入用の孔から工具が挿入されて解除釦１５が押されると、解除釦１５によって鎖錠ばね１４が接触片１１ａ又は１２ａから離れる方向に撓められ、電線の抜け止めが解除されるので、電線を容易に取り外すことができる。尚、鎖錠ばね１４と解除釦１５と端子板１１，１２でそれぞれ構成される速結型の端子部は従来周知であり、例えば特開２００２−２０３４５５号公報に記載された鎖錠ばね及び解除釦と同様の構成を有しているので、詳細な説明は省略する。
【００２７】
次に、中央の収納室４ｃに収納される中枠ブロック１７について図１及び図４〜図７に基づいて説明する。中枠ブロック１７は、それぞれ合成樹脂成形品からなる前側枠１８及び後側枠１９と、電流トランスＣＴ１と、端子板２０とで構成される。
【００２８】
前側枠１８の後側には電流トランスＣＴ１が配置され、電流トランスＣＴ１を覆うようにして後側枠１９が取り付けられている。電流トランスＣＴ１はリング状のコア２１と、コア２１にそれぞれ巻回された一次巻線ｎ１及び二次巻線ｎ２を備えている。一次巻線ｎ１の一端は端子板２０に電気的に接続され、一次巻線ｎ１の他端はコア２１の中心孔２１ａの内側で温度ヒューズＦ１の端子３５ｂに接続されている。
【００２９】
前側枠１８は接点Ｓ１を収納する凹部１８ａを備え、凹部１８ａの底部に端子板２０が載置される。凹部１８ａの側壁にはＶ溝１８ｂが形成されており、可動接点板１３の突起１３ｂをＶ溝１８ｂに挿入した状態で、可動接点板１３が凹部１８ａ内に挿入される。可動接点板１３は、後端縁を端子板２０に当接させた状態で、端子板２０との接触部位（後端縁）を支点として回転自在に配置されており、突起１３ｂがＶ溝１８ｂの端面と当接することで、その回転範囲が規制されている。ここにおいて、可動接点板１３が、図７中の左周りに回転すると、可動接点１３ａが固定接点１２ｃに接触し、接点Ｓ１がオン（閉極）した状態となる。一方、可動接点板１３が、図７中の右回りに回転すると、可動接点１３ａが固定接点１２ｃから離れて、接点Ｓ１がオフ（開極）した状態となる。
【００３０】
また前側枠１８には、温度ヒューズＦ１と鎖錠ばね１４との間をそれぞれ絶縁する絶縁壁１８ｃが設けられ、絶縁壁１８ｃの前側端間を連結する連結部分の溝１８ｄから温度ヒューズＦ１の端子３５ａが前方に突出する。そして、温度ヒューズＦ１の端子３５ａは端子板１１の接続片１１ｂに接続されており、両端子板１１，１２（すなわち接続端子Ｔ１，Ｔ２）の間に、接点Ｓ１と電流トランスＣＴ１の一次巻線ｎ１と温度ヒューズＦ１の直列回路が接続される。
【００３１】
後側枠１９は、電流トランスＣＴ１の後面に対向配置される後壁１９ａと、後壁１９ａの周縁部から前方に突出して電流トランスＣＴ１の側面を部分的に覆う側壁１９ｂと、後壁１９ａの左側部から前方に突出する柱状部１９ｃとを一体に備えている。柱状部１９ｃには、電流トランスＣＴ１の二次巻線ｎ２の両端にそれぞれ電気的に接続された端子板２０がインサート成形されており、柱状部１９ｃの前端面から２本の端子板２０の先端が露出している。
【００３２】
上述の端子板２０は、カバー５内に収納される表示ブロック２２に電気的に接続される。表示ブロック２２は合成樹脂製の基台２２ａを有し、この基台２２ａには端子板（図示せず）がインサート成形されている。また基台２２ａには、図９に示す回路のうち抵抗Ｒ１，Ｒ２、コンデンサＣ１、発光ダイオードＬＥＤ１、ダイオードＤ１及びネオンランプＬ１が実装されるとともに、端子板１１，１２の前側片にそれぞれ弾接するコンタクト２２ｂ，２２ｃが設けられている。図７に示すように表示ブロック２２が器体３内部に収納された状態では、コンタクト２２ｂ，２２ｃがそれぞれ端子板１１，１２の前側片に弾接しており、接続端子Ｔ１，Ｔ２間に抵抗Ｒ１とネオンランプＬ１との直列回路が接続される。また二次巻線ｎ２の両端間には、基台２２ａに実装された抵抗Ｒ２及びコンデンサＣ１の直列回路が接続され、コンデンサＣ１と並列に発光ダイオードＬＥＤ１及びダイオードＤ１がそれぞれ接続されている。これにより、接続端子Ｔ１，Ｔ２をそれぞれ構成する端子板１１，１２に負荷Ｗ１及び交流電源ＡＣの直列回路が接続された状態では、接点Ｓ１のオフ時にネオンランプＬ１が点灯し、接点Ｓ１のオン時に発光ダイオードＬＥＤ１が点灯する。
【００３３】
また、カバー５の前壁において、表示ブロック２２が備えるネオンランプＬ１及び発光ダイオードＬＥＤ１に対応する部位には、透光窓２３ａが設けられ、この透光窓２３ａには透光性を有するランプカバー２３が取り付けられている。したがって、ネオンランプＬ１及び発光ダイオードＬＥＤ１の点灯・消灯の状態は、外部からランプカバー２３を通して視認することができる。
【００３４】
また器体３の内部には、接点Ｓ１を開閉させる開閉機構部２４が収納されている。開閉機構部２４は、反転ばね２５と、反転子２６と、押釦２７と、スライドカム２８と、復帰ばね２９とで構成される。反転ばね２５はコイルばねからなり、反転ばね２５の後端部には可動接点板１３の前縁に設けられた突起１３ｃが挿入され、反転ばね１５の前端部は反転子２６の後部に設けられた筒部２６ａ内に挿入される。反転子２６の前端部は、カバー５の前面に設けられた凹部３０の底壁に設けられた貫通孔３１から前方に露出する。また反転子２６の中間部の上下両側面には、前側にいくほど先細りとなる三角形状の支点突起２６ｂが設けられている。貫通孔３１の両側縁には軸受け溝３２が形成されており、この軸受け溝３２に後側から支点突起２６ｂが挿入されることによって、反転子２６が、支点突起２６ｂと軸受溝３２との接触部位を支点にして揺動自在となっている。ここで、反転ばね２５の一端側が可動接点板１３に保持されるとともに、反転ばね２５の他端側は反転子２６に保持されており、反転子２６が揺動すると揺動範囲の中間で反転ばね２５がもっとも圧縮される位置を通過する。この位置の前後において反転ばね２５から可動接点板１３に作用するばね力の向きが反転し、反転ばね２５のばね力によって可動接点板１３が急速に反対側へ回転するのである。
【００３５】
ところで、反転子２６において貫通孔３１から前方に露出する部位の左右両側には、前方に突出してスライドカム２８に当接する突起２６ｃが設けられている。スライドカム２８は、カバー５の凹部３０内に配置された押釦２７が押されることによって、反転子２６の位置関係に応じて、押釦２７の裏面に沿ってスライドするように構成されている。スライドカム２８の構成については後述する。
【００３６】
押釦２７は、長手方向の両外側面の後端部に突出するガイド突起２７ａを備え、凹部３０の内側面に前後方向に沿って形成された案内溝３３にガイド突起２７ａが挿入されることによって、前後方向に移動自在で、且つ前方への抜け止めがなされている。
【００３７】
押釦２７の後面には突起（図示せず）が設けられ、板ばねからなる復帰ばね２９の孔２９ａに押釦２７の突起が挿入されることによって、復帰ばね２９が押釦２７の後面に取り付けられる。復帰ばね２９は、後側に向かってそれぞれ左右に拡がる２つのばね片２９ｂを備え、各ばね片２９ｂの先端が凹部３０の底面に弾接されることによって、押釦２７は復帰ばね２９のバネ力を受けて前方に常に押された状態となる。
【００３８】
スライドカム２８は合成樹脂により矩形枠状に形成されており、左右方向において対向する側辺部の後面には、反転子２６の突起２６ｃに当接するカム体２８ａが一体に設けられている。また、スライドカム２８の他の側辺部の中央には一対のバネ片２８ｂが保持されており、押釦２７の裏面の突起が、一対のバネ片２８ｂの間に挿入されることによって、押釦２７の裏面にスライドカム２８がスライド移動自在に装着される。尚、バネ片２８ｂの弾性力によって、スライドカム２８を初期位置に戻す復帰力が与えられる。
【００３９】
また、カバー５の前面の一端側（左側）には、斜め前方に突出して、ハンドル２を回転自在に支持する一対の軸部３４が一体に設けられている。軸部３４の前端部は、カバー５の短手方向と平行な方向を中心軸方向とする円柱状に形成される。ハンドル２の背面の一端部には軸受け部（図示せず）が設けられ、この軸受け部に軸部３４を嵌め込むことによってハンドル２が軸部３４を中心に回転自在に支持される。尚、ハンドル２の前面には、ランプカバー２３に対向する部位に窓孔２ａが設けられ、この窓孔２ａには、ハンドル２の背面側からレンズ２ｂの一部が嵌め込まれている。而して、ネオンランプＬ１及び発光ダイオードＬＥＤ１の発光はランプカバー２３を通してレンズ２３に入射し、レンズ２３内を通過してハンドル２の前面側に導かれるようになっている。
【００４０】
上述のようにハンドル２がスイッチ本体１に取り付けられた状態で、ハンドル２の他端部（右側部）が押操作されると、ハンドル２は、軸部３４を中心にして図７中の右回りに回転する。ハンドル２の後面にはスイッチ本体１に保持された押釦２７が当接しており、ハンドル２が押操作されると、押釦２７が器体３に押し込まれる。
【００４１】
ここで、スイッチ本体１の動作を簡単に説明する。図７では可動接点板１３が中立しているが、実際には反転ばね２５のバネ力によって、可動接点板１３は回転範囲の左端まで回転して接点Ｓ１が閉極している状態か、回転範囲の右端まで回転して接点Ｓ１が開極している状態かの何れかの状態で停止している。
【００４２】
接点Ｓ１が開極（オフ）している状態、すなわち可動接点１３ａが固定接点１２ｃから離れている状態では、可動接点板１３は回転範囲の右端まで回転しており、反転子２６は図７中の左側に倒れている。このときスライドカム２８は、バネ片２８ｂにより移動範囲の中央位置に復帰している。また反転ばね２５のバネ力によって反転子２６は左側に倒れた位置で保持されている。反転子２６が左側に倒れた状態では、反転子２６の左側の突起２６ｃよりも、右側の突起２６ｃの方が前側（図７中の上方）に位置している。
【００４３】
オフ状態からユーザがハンドル２の右側を押すと、ハンドル２の回転に応じて、ハンドル２の裏側で押釦２７が押し込まれ、押釦２７とともにスライドカム２８が図７中の下側に移動する。このとき、スライドカム２８の図中右側のカム体２８ａが反転子２６の右側の突起２６ｃに当接して、反転子２６の右端部を下向きに押すので、反転子２６が支点突起２６ｂの前端を中心として図中右回りに回転する。反転子２６の回転に応じて反転ばね２５が圧縮され、反転ばね２５がもっとも圧縮される位置を反転子２６が通過すると、反転ばね２５のバネ力が開放されて、反転子２６が図中右回りに急速に回転する。反転子２６が右回りに回転すると、反転子２６の回転に応じて可動接点板１３が後端縁を支点として左回りに回転し、可動接点１３ａが固定接点１２ｃに接触する位置で停止する。この時、反転ばね２５のバネ力によって反転子２６は右側に倒れた位置で保持され、可動接点板１３は可動接点１３ａが固定接点１２ｃに接触する位置で保持される。その後、ユーザがハンドル２から手を離すと、復帰ばね２９のばね力によって押釦２７が押し戻され、押釦２７に当接しているハンドル２も元の位置に復帰する。また同時に、スライドカム２８もバネ片２８ｂのばね力を受けてスライドし、中央位置に復帰する。尚、反転子２６が右側に倒れた状態では、反転子２６の右側の突起２６ｃよりも、左側の突起２６ｃの方が前側（図７中の上方）に位置している。
【００４４】
また、オン状態からユーザがハンドル２の右側を押すと、ハンドル２の回転に応じて、ハンドル２の裏側で押釦２７が押し込まれ、押釦２７とともにスライドカム２８が図７中の下側に移動する。このとき、スライドカム２８の図中左側のカム体２８ａが反転子２６の左側の突起２６ｃに当接して、反転子２６の左端部を下向きに押すので、反転子２６が支点突起２６ｂの前端を中心として図中左回りに回転する。反転子２６の回転に応じて反転ばね２５が圧縮され、反転ばね２５がもっとも圧縮される位置を反転子２６が通過すると、反転ばね２５のバネ力が開放されて、反転子２６が図中左回りに急速に回転する。反転子２６が左回りに回転すると、反転子２６の回転に応じて可動接点板１３が後端縁を支点として右回りに回転し、回転範囲の右端の位置で停止しており、この停止位置では可動接点１３ａが固定接点１２ｃから離れた状態となる。この時、反転ばね２５のバネ力によって反転子２６は左側に倒れた位置で保持され、可動接点板１３は可動接点１３ａが固定接点１２ｃから離れた位置で保持される。その後、ユーザがハンドル２から手を離すと、復帰ばね２９のばね力によって押釦２７が押し戻され、押釦２７に当接しているハンドル２も元の位置に復帰する。また同時に、スライドカム２８もバネ片２８ｂのばね力を受けてスライドし、中央位置に復帰する。尚、反転子２６が左側に倒れた状態では、反転子２６の左側の突起２６ｃよりも、右側の突起２６ｃの方が前側（図７中の上方）に位置している。而して、ハンドル２が押操作される毎に、開閉機構部２４によって接点Ｓ１のオン／オフが切り替えられるようになっている。
【００４５】
以上説明したように、本実施形態のスイッチは、造営材に設置される器体３を備え、負荷Ｗ１及び電源が電線を介して接続される。器体３には、接点Ｓ１と、開閉機構部２４と、発光部（発光ダイオードＬＥＤ１からなる）と、給電部（電流トランスＣＴ１などからなる）と、温度ヒューズＦ１とが収納されている。接点Ｓ１は、負荷と電源との間の給電路に電気的に接続される。開閉機構部２４は接点Ｓ１のオン／オフを切り替える。発光部は動作表示用であり、負荷への給電時に発光する。給電部は、接点Ｓ１と直列に接続され、給電路に電流が流れると、発光部に電流を流して発光部を発光させる。温度ヒューズＦ１は給電部と負荷との間に電気的に接続されている。
【００４６】
これにより、定格を超える負荷が接続されると、給電部に定格を超える電流が流れることによって給電部が異常に発熱する可能性があるが、給電部の発熱による温度上昇が温度ヒューズＦ１の作動温度を超えると、温度ヒューズＦ１がオフして、負荷への給電が遮断される。したがって、温度ヒューズＦ１が負荷への給電を遮断することで、給電部の異常発熱が抑えられ、給電部の異常発熱による不具合を起こりにくくしたスイッチを実現することができる。
【００４７】
また器体３は、造営材に設けられた穴に後部を納めた状態で造営材に取り付けられている。器体３の内部には、接点Ｓ１及び開閉機構部２４の後側に給電部（電流トランスＣＴ１からなる）が配置されている。また器体３の後面には、負荷及び電源の直列回路と接点Ｓ１の間を電気的に接続するための電線が挿入される電線挿入口１６ａ，１６ｂが開口している。器体３の内部には、電線挿入口１６ａから挿入された電線に電気的に接続される端子部（端子板１１及び鎖錠ばね１４からなる）が給電部よりも前側に収納されている。そして、図４及び図５に示すように、温度ヒューズＦ１は、器体３の内部において前側に配置された端子部と、後側に配置された給電部との間を電気的に接続するように、器体３の内部に前後方向に沿わせて収納されている。
【００４８】
これにより、器体３の内部空間を有効に利用して温度ヒューズＦ１を収納することができ、温度ヒューズＦ１の長手方向を前後方向と直交させた状態で温度ヒューズＦ１が収納される場合に比べて、器体３を小型にできる。
【００４９】
また本実施形態では、給電部が電流トランスＣＴ１を備えている。電流トランスＣＴ１は、リング状のコア２１と、コア２１にそれぞれ巻回された一次巻線ｎ１及び二次巻線ｎ２を備えている。一次巻線ｎ１は給電路の途中に接続され、二次巻線ｎ２の両端間に発光部を含む回路が接続されている。温度ヒューズＦ１の一方の端子３５ａは、端子部を構成する端子板１１に接続されている。温度ヒューズＦ１の他方の端子３５ｂは、図５に示すようにコア２１の後側を通って、コア２１の中心孔２１ａに挿入され、中心孔２１ａの内側で一次巻線ｎ１に接続されている。
【００５０】
これにより、温度ヒューズＦ１の端子３５ｂと一次巻線ｎ１との接続部分を、温度ヒューズＦ１の感温部からできるだけ遠ざけることができる。したがって、端子３５ｂと一次巻線ｎ１とを半田接続する際に半田の熱が温度ヒューズＦ１の感温部に加わりにくくなり、半田の熱で温度ヒューズＦ１が誤動作しにくくなる。
【００５１】
尚、端子３５ｂと一次巻線ｎ１との接続方法を半田接続に限定する趣旨のものではなく、かしめなどの方法で端子３５ｂと一次巻線ｎ１とを接続してもよい。
【００５２】
（実施形態２）
実施形態２のスイッチを図１０〜図１２に基づいて説明する。実施形態１では、給電部が電流トランスＣＴ１で構成されているが、本実施形態では図１０に示すように給電部がダイオードブリッジＤＢ１で構成されている。尚、給電部の構成を除いては実施形態１と同様であるので、共通する構成要素には同一の符号を付して、その説明は省略する。
【００５３】
本実施形態では、接続端子Ｔ１と接続端子Ｔ２の間に、接点Ｓ１と、ダイオードブリッジＤＢ１と、温度ヒューズＦ１とが直列に接続されている。ダイオードブリッジＤＢ１は、ブリッジ接続された４個のダイオードＤ２〜Ｄ５で構成されており、ダイオードブリッジＤＢ１の直流出力端子間が短絡されている。すなわち、カソード同士が接続されたダイオードＤ２，Ｄ３の接続点と、アノード同士が接続されたダイオードＤ４，Ｄ５の接続点との間が短絡されている。そして、ダイオードブリッジＤＢ１と並列に、コンデンサＣ２と発光ダイオードＬＥＤ１と抵抗Ｒ２とが接続され、発光ダイオードＬＥＤ１と並列にダイオードＤ１とコンデンサＣ１がそれぞれ接続されている。またダイオードブリッジＤＢ１と並列に抵抗Ｒ３が接続されている。
【００５４】
ここで、接続端子Ｔ１，Ｔ２間に交流電源ＡＣと負荷Ｗ１が接続されている状態で接点Ｓ１がオフに切り替えられると、接点Ｓ１の両端間に電圧が印加されるので、抵抗Ｒ１を介してネオンランプＬ１に電流が流れて、ネオンランプＬ１が点灯する。尚、この時、ネオンランプＬ１に流れる電流は、負荷Ｗ１を動作させるのに必要な電流に比べて十分小さい電流値に設定されている。
【００５５】
また、接点Ｓ１がオンに切り替えられた場合は、ダイオードブリッジで発生するダイオード２個分の順方向電圧によって、発光ダイオードＬＥＤ１に交流電源ＡＣの半周期毎に電流が流れ、発光ダイオードＬＥＤ１が赤色発光する。
【００５６】
したがって、負荷Ｗ１として照明負荷が用いられる場合には、接点Ｓ１のオフ時、すなわち照明負荷の消灯時にネオンランプＬ１が点灯することによって位置表示が行われ、暗がりでもスイッチの位置を容易に確認できる。一方、接点Ｓ１のオン時、すなわち負荷Ｗ１の動作時には発光ダイオードＬＥＤ１が点灯することによって、負荷Ｗ１が動作中であることを表示することができる。
【００５７】
次に、給電部であるダイオードブリッジＤＢ１と温度ヒューズＦ１を保持する中枠ブロック１７について説明する。図１１は中枠ブロック１７の斜視図、図１２は中枠ブロック１７の分解斜視図であり、中枠ブロック１７は、それぞれ合成樹脂成形品からなる前側枠１８及び取付ベース３６と、端子板２０などから構成される。前側枠１８は、実施形態１で説明したものと同様であるのでその説明は省略する。
【００５８】
取付ベース３６は合成樹脂成形品からなり、この取付ベース３６には温度ヒューズＦ１の端子３５ｂが接続される端子板３８ａと、端子板２０が接続される端子板３８ｂがインサート成形されている。また端子板３８ａ，３６ｂにダイオードブリッジＤＢ１の交流入力端子を電気的に接続することによって、ダイオードブリッジＤＢ１が取付ベース３６に固定されている。またダイオードブリッジＤＢ１の交流入力端子に電気的に接続された一対の端子板２０は前方に向かって突出しており、一対の端子板２０は柱状部３７にインサート成形され、端子板２０の先端は柱状部３７の前端面から外部に露出している。
【００５９】
取付ベース３６は前側枠１８の後側に配置され、端子板３８ｂに接続された端子板２０は凹部１８ａの底部に配置される。温度ヒューズＦ１の一方の端子３５ａは端子板１１に接続され、他方の端子３５ｂは端子板３８ａに接続されている。
【００６０】
而して、本実施形態においても給電部であるダイオードブリッジＤＢ１の近傍に温度ヒューズＦ１が配置されることになる。
【００６１】
これにより、定格を超える負荷がスイッチに接続されると、給電部に定格を超える電流が流れることによって給電部が異常に発熱する可能性があるが、給電部の発熱による温度上昇が温度ヒューズＦ１の作動温度を超えると、温度ヒューズＦ１がオフして、負荷への給電が遮断される。したがって、温度ヒューズＦ１が負荷への給電を遮断することで、給電部の異常発熱が抑えられ、給電部の異常発熱による不具合を起こりにくくしたスイッチを実現することができる。
【符号の説明】
【００６２】
３  器体
４  ボディ
５  カバー
１１，１２  端子板（端子部）
１２ｃ  固定接点（接点）
１３ａ  可動接点（接点）
１４  鎖錠ばね（端子部）
１６ａ，１６ｂ  電線挿入口
２１  コア
２４  開閉機構部
ＣＴ１  電流トランス（給電部）
ＤＢ１  ダイオードブリッジ（給電部）
Ｆ１  温度ヒューズ
ＬＥＤ１  発光ダイオード（発光部）
ｎ１  一次巻線
ｎ２  二次巻線
Ｗ１  負荷
【図１】
0005906473.tif 000002
【図２】
0005906473.tif 000003
【図３】
0005906473.tif 000004
【図４】
0005906473.tif 000005
【図５】
0005906473.tif 000006
【図６】
0005906473.tif 000007
【図７】
0005906473.tif 000008
【図８】
0005906473.tif 000009
【図９】
0005906473.tif 000010
【図１０】
0005906473.tif 000011
【図１１】
0005906473.tif 000012
【図１２】
0005906473.tif 000013